(57)【特許請求の範囲】
【請求項１】
プロジェクションテレビ装置の映写用光源の前面に配置される、ガラス製の第１レンズおよびプラスチック製の第２レンズを有するプロジェクションテレビのレンズ組立体であって、
金属またはプラスチックの鏡筒であって、該鏡筒の軸方向に沿って所定の間隔を隔てて前記第１および第２のレンズが配置される位置の前記鏡筒の内壁に、環状かつ凹陥状に形成された第１および第２の嵌合部を有する鏡筒と、
前記第１および第２の凹陥状の嵌合部のそれぞれに嵌挿される形状をした凸部と、該凸部の内側に形成され、レンズの外周縁部分が嵌挿される凹部とを有し、応力の印加に対して弾性変形可能な、第１および第２の緩衝材と、
前記凸部が前記第１および第２の嵌合部に嵌挿された前記第１および第２の前記緩衝材の前記凹部のそれぞれに外周縁が嵌挿されて前記鏡筒内の所定位置に収容された、ガラス製の第１レンズおよびプラスチック製の第２レンズと
を有し、
前記第１および第２の緩衝材の弾性率は、前記ガラス製の第１レンズの弾性率および前記プラスチック製の第２のレンズの弾性率より小さく、
前記第１および第２の緩衝材それぞれの径方向厚さは前記第１および第２のレンズの取付前の状態で前記第１および第２のレンズの外径に対して１〜２％であり、前記第１および第２の緩衝材は前記第１および第２レンズの取付後に前記第１および第２レンズの取付前の当該緩衝材の径方向の厚さに対して３０〜５０％圧縮される合成ゴムで構成してあり、
前記ガラス製の第１のレンズの外周縁を前記第１の緩衝材の凹部に嵌挿し、
前記ガラス製の第１レンズが前記第１の緩衝材の凹部に嵌挿されて前記第１の緩衝材を弾性変形させた状態で前記第１の緩衝材の凸部を前記鏡筒の凹陥状の嵌合部に取り付けた
ことを特徴とする、プロジェクションテレビのレンズ組立体。
【請求項２】
映写用光源と、
該映写用光源の前面に配置されたレンズ組立体と
を有し、
前記レンズ組立体は、ガラス製の第１レンズおよびプラスチック製の第２レンズを有するレンズ組立体であって、
金属またはプラスチックの鏡筒であって、該鏡筒の軸方向に沿って所定の間隔を隔てて前記第１および第２のレンズが配置される位置の前記鏡筒の内壁に、環状かつ凹陥状に形成された第１および第２の嵌合部を有する鏡筒と、
前記第１および第２の凹陥状の嵌合部のそれぞれに嵌挿される形状をした凸部と、該凸部の内側に形成され、レンズの外周縁部分が嵌挿される凹部とを有し、応力の印加に対して弾性変形可能な、第１および第２の緩衝材と、
凸部が前記第１および第２の嵌合部に嵌挿された前記第１および第２の前記緩衝材の凹部のそれぞれに外周縁が嵌挿されて前記鏡筒内の所定位置に収容された、ガラス製の第１レンズおよびプラスチック製の第２レンズと
を有し、
前記第１および第２の緩衝材の弾性率は、前記ガラス製の第１レンズの弾性率および前記プラスチック製の第２のレンズの弾性率より小さく、
前記第１および第２の緩衝材それぞれの径方向厚さは前記第１および第２のレンズの取付前の状態で前記第１および第２のレンズの外径に対して１〜２％であり、前記第１および第２の緩衝材は前記第１および第２レンズの取付後に前記第１および第２レンズの取付前の当該緩衝材の径方向の厚さに対して３０〜５０％圧縮される合成ゴムで構成してあり、
前記ガラス製の第１のレンズの外周縁を前記第１の緩衝材の凹部に嵌挿し、前記ガラス製の第１レンズが凹部に嵌挿された前記第１の緩衝材を弾性変形させた状態で前記第１の緩衝材の凸部を前記鏡筒の凹陥状の嵌合部に取り付けた
ことを特徴とする、プロジェクションテレビ装置。
【請求項３】
プロジェクションテレビ装置の映写用光源の前面に配置される、ガラス製の第１レンズおよびプラスチック製の第２レンズを有するプロジェクションテレビのレンズ組立体であって、
金属またはプラスチックの鏡筒であって、前記ガラス製の第１レンズおよび前記プラスチック製の第２レンズが配置される位置の前記鏡筒の内壁に、環状かつ凹陥状に形成された第１および第２の嵌合部を有する鏡筒と、
前記凹陥状の第１の嵌合部に嵌挿される形状をした凸部と、該凸部の内側に形成され、レンズの外周縁部分が嵌挿される凹部とを有し、応力の印加に対して弾性変形可能な、緩衝材と、
凸部が前記第１の嵌合部に嵌挿された前記緩衝材の凹部に外周縁が嵌挿されて前記鏡筒内の所定位置に収容された、ガラス製の第１レンズと、
プラスチック製の第２レンズであって、該第２レンズの外周縁から当該第２レンズの外径の０．１〜１％に突出している４〜１０個の弾性変形可能な突起を有し、前記鏡筒内の前記第２の嵌合部に前記複数の突起を当接させて収容されたプラスチック製の第２レンズと、
を有し、
前記緩衝材の弾性率は前記ガラス製の第１レンズの弾性率より小さく、
前記緩衝材の径方向厚さは前記第１レンズの取付前の状態で前記第１レンズの外径に対して１〜２％であり、前記緩衝材は前記第１レンズの取付後に前記第１レンズの取付前の当該緩衝材の径方向の厚さに対して３０〜５０％圧縮される合成ゴムで構成してあり、
前記ガラス製の第１のレンズの外周縁を前記緩衝材の凹部に嵌挿し、前記ガラス製の第１レンズが凹部に嵌挿された前記緩衝材を弾性変形させた状態で前記緩衝材の凸部を前記鏡筒の凹陥状の嵌合部に取り付けられており、
前記第２のレンズの複数の突起を変形させて前記鏡筒の前記第２の嵌合部に前記第２のレンズを収容させた、
ことを特徴とする、プロジェクションテレビのレンズ組立体。
【請求項４】
映写用光源と、
該映写用光源の前面に配置されたレンズ組立体と
を有し、
前記レンズ組立体は、ガラス製の第１レンズおよびプラスチック製の第２レンズを有するプロジェクションテレビのレンズ組立体であって、
金属またはプラスチックの鏡筒であって、前記ガラス製の第１レンズおよび前記プラスチック製の第２レンズが配置される位置の前記鏡筒の内壁に、環状かつ凹陥状に形成された第１および第２の嵌合部を有する鏡筒と、
前記凹陥状の第１の嵌合部に嵌挿される形状をした凸部と、該凸部の内側に形成され、レンズの外周縁部分が嵌挿される凹部とを有し、応力の印加に対して弾性変形可能な、緩衝材と、
凸部が前記第１の嵌合部に嵌挿された前記緩衝材の凹部に外周縁が嵌挿されて前記鏡筒内の所定位置に収容された、ガラス製の第１レンズと、
プラスチック製の第２レンズであって、該第２レンズの外周縁から当該第２レンズの外径の０．１〜１％に突出している４〜１０個の弾性変形可能な突起を有し、前記鏡筒内の前記第２の嵌合部に前記複数の突起を当接させて収容されたプラスチック製の第２レンズと、
を有し、
前記緩衝材の弾性率は前記ガラス製の第１レンズの弾性率より小さく、
前記緩衝材の径方向厚さは前記第１レンズの取付前の状態で前記第１レンズの外径に対して１〜２％であり、前記緩衝材は前記第１レンズの取付後に前記第１レンズの取付前の当該緩衝材の径方向の厚さに対して３０〜５０％圧縮される合成ゴムで構成してあり、
前記ガラス製の第１のレンズの外周縁を前記緩衝材の凹部に嵌挿し、前記ガラス製の第１レンズが凹部に嵌挿された前記緩衝材を弾性変形させた状態で前記緩衝材の凸部を前記鏡筒の凹陥状の嵌合部に取り付けられており、
前記第２のレンズの複数の突起を変形させて前記鏡筒の前記第２の嵌合部に前記第２のレンズを収容させた、
ことを特徴とする、プロジェクションテレビ装置。
【発明の詳細な説明】
【０００１】
【産業上の利用分野】
本発明は、プロジェクションテレビ装置の投射レンズ組立体に係り、さらに詳しくは、動作時の温度上昇に伴う投射レンズのフォーカス性能の低下を防止することができる、レンズ組立体およびレンズ組立体を用いたプロジェクションテレビ装置に関する。
【０００２】
【従来の技術】
通常のテレビに比較して表示画面が大きく、大型表示が可能な装置として、背面投射型のプロジェクションテレビが知られている。背面投射型のプロジェクションテレビでは、赤（Ｒ）、緑（Ｇ）、青（Ｂ）用の投射ブラウン管（ＣＲＴ）からそれぞれ映像光を出射し、その映像光を表示画面スクリーンに入射させ、その入射面に対して背面側のスクリーンに映し出された画像を映像として表示する。
【０００３】
投射ＣＲＴの前面には、レンズ組立体が配置してあり、投射ＣＲＴから出射した映像光をフォーカスさせて、表示画面スクリーンに像を結ぶように構成してある。レンズ組立体は、鏡筒と、鏡筒の内部に装着される少なくとも１のレンズとを有する。一般的には、レンズ組立体の鏡筒には、プラスチックレンズと、ガラスレンズとが組み合わされて用いられる。鏡筒は、たとえば金属またはプラスチックで構成される。
【０００４】
プラスチック、金属、およびガラスの熱膨張率を、それぞれＥｐ，Ｅｍ，Ｅｇ
とすると、Ｅｐ＞Ｅｍ＞Ｅｇの関係がある。
投射ＣＲＴは、その動作時には、高温になることから、その前面が冷却されることが好ましい。
【０００５】
【発明が解決しようとする課題】
しかしながら、投射ＣＲＴの前面は、最大で９０℃程度にもなる。そのため、レンズ組立体も加熱され、レンズ組立体の各構成部品の熱膨張率の相違から、以下に示す問題点を有している。
【０００６】
たとえば、鏡筒が金属で構成されていると仮定すると、プラスチックレンズは、鏡筒より熱膨張率が大きいため、鏡筒から圧力を受け、レンズ面形状が変化し、フォーカス性能の低下を生じる。また、ガラスレンズは、鏡筒より熱膨張率が小さいため、鏡筒とガラスレンズとの嵌合部に隙間が生じる。そのため、プラスチックレンズと、ガラスレンズとの間に、偏心が生じ、この場合にもフォーカス性能の低下を生じる。
【０００７】
なお、鏡筒がプラスチックだとしても、ガラスレンズとの間に、同様な問題が生じる。
本発明は、このような実状に鑑みてなされ、動作時の温度上昇に伴う投射レンズのフォーカス性能の低下を防止することができるプロジェクションテレビの投射レンズ組立体を提供することを目的とする。
【０００８】
【課題を解決するための手段】
本発明の第１の観点によれば、プロジェクションテレビ装置の映写用光源の前面に配置される、ガラス製の第１レンズおよびプラスチック製の第２レンズを有するプロジェクションテレビのレンズ組立体であって、
金属またはプラスチックの鏡筒であって、該鏡筒の軸方向に沿って所定の間隔を隔てて前記第１および第２のレンズが配置される位置の前記鏡筒の内壁に、環状かつ凹陥状に形成された第１および第２の嵌合部を有する鏡筒と、
前記第１および第２の凹陥状の嵌合部のそれぞれに嵌挿される形状をした凸部と、該凸部の内側に形成され、レンズの外周縁部分が嵌挿される凹部とを有し、応力の印加に対して弾性変形可能な、第１および第２の緩衝材と、
前記凸部が前記第１および第２の嵌合部に嵌挿された前記第１および第２の前記緩衝材の前記凹部のそれぞれに外周縁が嵌挿されて前記鏡筒内の所定位置に収容された、ガラス製の第１レンズおよびプラスチック製の第２レンズと
を有し、
前記第１および第２の緩衝材の弾性率は、前記ガラス製の第１レンズの弾性率および前記プラスチック製の第２のレンズの弾性率より小さく、
前記第１および第２の緩衝材それぞれの径方向厚さは前記第１および第２のレンズの取付前の状態で前記第１および第２のレンズの外径に対して１〜２％であり、前記第１および第２の緩衝材は前記第１および第２レンズの取付後に前記第１および第２レンズの取付前の当該緩衝材の径方向の厚さに対して３０〜５０％圧縮される合成ゴムで構成してあり、
前記ガラス製の第１のレンズの外周縁を前記第１の緩衝材の凹部に嵌挿し、
前記ガラス製の第１レンズが前記第１の緩衝材の凹部に嵌挿されて前記第１の緩衝材を弾性変形させた状態で前記第１の緩衝材の凸部を前記鏡筒の凹陥状の嵌合部に取り付けたことを特徴とする、プロジェクションテレビのレンズ組立体が提供される。
【０００９】
本発明の第２の観点によれば、映写用光源と、該映写用光源の前面に配置されたレンズ組立体とを有し、
前記レンズ組立体は、ガラス製の第１レンズおよびプラスチック製の第２レンズを有するレンズ組立体であって、
金属またはプラスチックの鏡筒であって、該鏡筒の軸方向に沿って所定の間隔を隔てて前記第１および第２のレンズが配置される位置の前記鏡筒の内壁に、環状かつ凹陥状に形成された第１および第２の嵌合部を有する鏡筒と、
前記第１および第２の凹陥状の嵌合部のそれぞれに嵌挿される形状をした凸部と、該凸部の内側に形成され、レンズの外周縁部分が嵌挿される凹部とを有し、応力の印加に対して弾性変形可能な、第１および第２の緩衝材と、
凸部が前記第１および第２の嵌合部に嵌挿された前記第１および第２の前記緩衝材の凹部のそれぞれに外周縁が嵌挿されて前記鏡筒内の所定位置に収容された、ガラス製の第１レンズおよびプラスチック製の第２レンズと
を有し、
前記第１および第２の緩衝材の弾性率は、前記ガラス製の第１レンズの弾性率および前記プラスチック製の第２のレンズの弾性率より小さく、
前記第１および第２の緩衝材それぞれの径方向厚さは前記第１および第２のレンズの取付前の状態で前記第１および第２のレンズの外径に対して１〜２％であり、前記第１および第２の緩衝材は前記第１および第２レンズの取付後に前記第１および第２レンズの取付前の当該緩衝材の径方向の厚さに対して３０〜５０％圧縮される合成ゴムで構成してあり、
前記ガラス製の第１のレンズの外周縁を前記第１の緩衝材の凹部に嵌挿し、前記ガラス製の第１レンズが凹部に嵌挿された前記第１の緩衝材を弾性変形させた状態で前記第１の緩衝材の凸部を前記鏡筒の凹陥状の嵌合部に取り付けたことを特徴とする、プロジェクションテレビ装置が提供される。
【００１０】
好ましくは、上記緩衝材の径方向厚みがレンズ外径に対して０．１〜３％である。
また好ましくは、上記緩衝材が合成ゴムで構成してある。
【００１１】
本発明の第３の観点によれば、プロジェクションテレビ装置の映写用光源の前面に配置される、ガラス製の第１レンズおよびプラスチック製の第２レンズを有するプロジェクションテレビのレンズ組立体であって、
金属またはプラスチックの鏡筒であって、前記ガラス製の第１レンズおよび前記プラスチック製の第２レンズが配置される位置の前記鏡筒の内壁に、環状かつ凹陥状に形成された第１および第２の嵌合部を有する鏡筒と、
前記凹陥状の第１の嵌合部に嵌挿される形状をした凸部と、該凸部の内側に形成され、レンズの外周縁部分が嵌挿される凹部とを有し、応力の印加に対して弾性変形可能な、緩衝材と、
凸部が前記第１の嵌合部に嵌挿された前記緩衝材の凹部に外周縁が嵌挿されて前記鏡筒内の所定位置に収容された、ガラス製の第１レンズと、
プラスチック製の第２レンズであって、該第２レンズの外周縁から当該第２レンズの外径の０．１〜１％に突出している４〜１０個の弾性変形可能な突起を有し、前記鏡筒内の前記第２の嵌合部に前記複数の突起を当接させて収容されたプラスチック製の第２レンズと、
を有し、
前記緩衝材の弾性率は前記ガラス製の第１レンズの弾性率より小さく、
前記緩衝材の径方向厚さは前記第１レンズの取付前の状態で前記第１レンズの外径に対して１〜２％であり、前記緩衝材は前記第１レンズの取付後に前記第１レンズの取付前の当該緩衝材の径方向の厚さに対して３０〜５０％圧縮される合成ゴムで構成してあり、
前記ガラス製の第１のレンズの外周縁を前記緩衝材の凹部に嵌挿し、前記ガラス製の第１レンズが凹部に嵌挿された前記緩衝材を弾性変形させた状態で前記緩衝材の凸部を前記鏡筒の凹陥状の嵌合部に取り付けられており、
前記第２のレンズの複数の突起を変形させて前記鏡筒の前記第２の嵌合部に前記第２のレンズを収容させた、ことを特徴とする、プロジェクションテレビのレンズ組立体が提供される。
【００１２】
本発明の第４の観点によれば、映写用光源と、該映写用光源の前面に配置されたレンズ組立体とを有し、
前記レンズ組立体は、ガラス製の第１レンズおよびプラスチック製の第２レンズを有するプロジェクションテレビのレンズ組立体であって、
金属またはプラスチックの鏡筒であって、前記ガラス製の第１レンズおよび前記プラスチック製の第２レンズが配置される位置の前記鏡筒の内壁に、環状かつ凹陥状に形成された第１および第２の嵌合部を有する鏡筒と、
前記凹陥状の第１の嵌合部に嵌挿される形状をした凸部と、該凸部の内側に形成され、レンズの外周縁部分が嵌挿される凹部とを有し、応力の印加に対して弾性変形可能な、緩衝材と、
凸部が前記第１の嵌合部に嵌挿された前記緩衝材の凹部に外周縁が嵌挿されて前記鏡筒内の所定位置に収容された、ガラス製の第１レンズと、
プラスチック製の第２レンズであって、該第２レンズの外周縁から当該第２レンズの外径の０．１〜１％に突出している４〜１０個の弾性変形可能な突起を有し、前記鏡筒内の前記第２の嵌合部に前記複数の突起を当接させて収容されたプラスチック製の第２レンズと、
を有し、
前記緩衝材の弾性率は前記ガラス製の第１レンズの弾性率より小さく、
前記緩衝材の径方向厚さは前記第１レンズの取付前の状態で前記第１レンズの外径に対して１〜２％であり、前記緩衝材は前記第１レンズの取付後に前記第１レンズの取付前の当該緩衝材の径方向の厚さに対して３０〜５０％圧縮される合成ゴムで構成してあり、
前記ガラス製の第１のレンズの外周縁を前記緩衝材の凹部に嵌挿し、前記ガラス製の第１レンズが凹部に嵌挿された前記緩衝材を弾性変形させた状態で前記緩衝材の凸部を前記鏡筒の凹陥状の嵌合部に取り付けられており、
前記第２のレンズの複数の突起を変形させて前記鏡筒の前記第２の嵌合部に前記第２のレンズを収容させた、ことを特徴とする、プロジェクションテレビ装置が提供される。
【００１３】
好ましくは、上記突起の高さはレンズの外径に対して、２％以下の範囲にある。
【００１４】
【作用】
本発明の第１および２の観点に係るレンズ組立体およびプロジェクションテレビ装置では、第１および第２のレンズと鏡筒の嵌合部に、レンズよりも弾性率が十分に小さい緩衝材が装着してある。そのため、プロジェクションテレビ装置の動作時に、仮にレンズ組立体が高温になったとしても、各構成部品（鏡筒とレンズ）の熱膨張差による嵌合部の隙間あるいはレンズに作用する応力を、緩衝材で吸収することができる。
【００１５】
たとえば、鏡筒が金属であるとし、鏡筒内にプラスチックレンズとガラスレンズとが装着してある場合には、緩衝材が弾性変形することにより、熱膨張によるプラスチックレンズの変形を防止することができる。
また、ガラス製の第１レンズは、その取付時に、緩衝材を十分に弾性変形させた状態で鏡筒の嵌合部に取り付けることで、熱膨張差によってもガラスレンズと鏡筒との隙間が生じなくなり、レンズが偏心することがなくフォーカス性能の低下もない。
【００１６】
本発明の第３および４の観点に係るレンズ組立体およびプロジェクションテレビ装置では、プラスチック製の第２レンズの外周に鏡筒の嵌合部に接触する突起が形成してあり、たとえば、鏡筒が金属である場合に、動作時の熱膨張差により、鏡筒がプラスチック製の第２レンズの外周を圧するが、その力は、突起部分に集中することから、第２レンズのレンズ本体部分が変形することはない。
また、突起が外周に形成された第２レンズよりも熱膨張率が大きい材質で構成された鏡筒の場合には、その取付時に、突起を強制的に変形させながら、鏡筒の嵌合部に取り付けることで、動作時の熱膨張差により嵌合部に隙間が生じることはない。その結果、その第２レンズが偏心状態になることもないので、フォーカス性能の低下もない。
なお、突起が変形したとしても、レンズ本体部がほとんど変形しないので、レンズとしての機能には問題がない。
【００１７】
【実施例】
以下、本発明に係るプロジェクションテレビの投射レンズ組立体を、図面に示す実施例に基づき、詳細に説明する。
図１は本発明の一実施例に係るプロジェクションテレビの投射レンズ組み立て体の要部断面図、図２（Ａ）は図１に示すＩＩＡ−ＩＩＡ線に沿う断面図、図２（Ｂ
）はレンズと鏡筒との嵌合部の要部断面図、図３（Ａ）はプロジェクションテレビの全体の正面側概略断面図、図３（Ｂ）はプロジェクションテレビ全体の側面側概略断面図、図４は図３に示すスクリーンの分解斜視図、図５は本発明の他の実施例に係るプロジェクションテレビの投射レンズ組立体の要部断面図である。
【００１８】
まず、図３，４に基づき、本発明の一実施例に係るプロジェクションテレビの全体構成について説明する。
図３に示すプロジェクションテレビ２では、それぞれ赤色（Ｒ），緑色（Ｇ），青色（Ｂ）の映像光を発する３つの投射用ＣＲＴ４，４，４が、それぞれの前面に配置されたレンズ組立体６，６，６と共に、シャーシ１０に取り付け固定してある。シャーシ１０は、ＣＲＴ４，４，４が直接取り付けられる第１シャーシ部材１１と、その第１シャーシ部材１１の両端を支持する一対の第２シャーシ部材１３とを有する。第２シャーシ部材１３は、ケーシング１４の支持台１６上に立設してある。
【００１９】
ケーシング１４の正面上方には、大型の表示画面１２が装着してある。また、ケーシング１４の内部には、各ＣＲＴ４，４，４から投射された映像を反射させ、表示画面の裏面に画像を結ばせるための反射鏡１６が取り付けてある。
表示画面１２は、図４に示すように、表示画面１２が、複層のスクリーンの積層板で構成してあり、フレネルスクリーン２０と、レンチキュラスクリーン２２と、コントラストスクリーン２４とを有する。フレネルスクリーン２０は、ＣＲＴからの光を集光する。また、レンチキュラスクリーン２２は、フレネルスクリーン２０で集光された光を左右に振り分ける。レンチキュラスクリーン２２には、コントラストを向上させる目的などで、ブラックストライプを設けることが好ましい。
【００２０】
次に、本実施例に係る投射用ＣＲＴ４およびレンズ組立体６について説明する。
図１に示すように、投射用ＣＲＴ４の前面には、カプラ３０が取り付けてある。カプラ３０には、メニスカスレンズ３２が取り付けてある。メニスカスレンズ３２は、たとえばプラスチックレンズで構成され、主として像面湾曲の補正を行い、レンズ組立体６のレンズ群と組み合わされて、所望の光学特性を発揮する。メニスカスレンズ３２とＣＲＴ４の前面との間には、ＣＲＴを冷却するための冷却媒体を充填することが好ましい。
【００２１】
レンズ組立体６は、図１に示すように、たとえば金属で構成される鏡筒３４と、この鏡筒３４の内部に軸線方向に所定間隔で配置された複数のレンズ３６，３８，４０とを有する。中央に位置するレンズ３６は、集束を行うための球面レンズであり、一般にガラスレンズで構成される。
【００２２】
鏡筒３４のＣＲＴ側に配置されるレンズ４０は、収差補正を行うための非球面レンズであり、一般にプラスチックレンズで構成される。また、鏡筒３４の反ＣＲＴ側に配置されるレンズ３８は、収差補正を行うための非球面レンズであり、一般にプラスチックレンズで構成される。
【００２３】
本実施例では、図２（Ａ）に示すように、鏡筒３４の内面全体、または少なくとも各レンズ３６，３８，４０と鏡筒３４との嵌合部に、緩衝材４２が装着してある。
緩衝材４２は、図２（Ｂ）に示すように、鏡筒３４の嵌合部である凹部４３の形状に合った形状を有し、全体としては、リング形状である。この緩衝材４２は、レンズ３６，３８，４０よりも弾性率が十分に小さい材質で構成される。レンズ３６，３８，４０よりも弾性率が十分に小さい材質としては、たとえばスチレン−ブタジエンゴム（ＳＢＲ）、ブタジエンゴム（ＢＲ）、イソプレンゴム（ＩＲ）、ニトリルブタジエンゴム（ＮＢＲ）、クロロプレンゴム（ＣＲ）などのジエン系ゴム、ブチルゴム（ＩＩＲ）、エチレン−プロピレン−ジエンターポリマーゴム（ＥＰＤＭ）、アクリルゴム、クロロスルホン化ポリエチレンゴム、フッ素ゴムなどのオレフィン系ゴム、シリコーンゴム、ウレタンゴム、多硫化ゴム、またはこれらの発泡体、またはウレタンもしくはナイロンの発泡体などを例示することができる。
【００２４】
緩衝材４２の径方向厚さｔは、レンズ３６，３８，４０の取付前の状態で、レンズの外径に対して、１〜２％が好ましい。緩衝材４２は、レンズ３６，３８，４０の取付後に、レンズ取付前の緩衝材の径方向厚さｔに対して３０〜５０％、圧縮されることが好ましい。
【００２５】
本実施例に係るプロジェクションテレビのレンズ組立体６では、レンズ３６，３８，４０と鏡筒３４との嵌合部に、レンズよりも弾性率が十分に小さい緩衝材４２が装着してあるので、プロジェクションテレビの動作時に、仮にレンズ組立体６が、室温＋２５℃〜５０℃と高温になったとしても、各構成部品（鏡筒３４とレンズ３６，３８，４０）の熱膨張差による嵌合部分の隙間あるいはレンズに作用する応力を、緩衝材４２で吸収することができる。
【００２６】
具体的には、鏡筒３４が金属である場合に、プラスチックレンズ３８，４０の熱膨張を緩衝材４２が弾性変形することにより吸収し、プラスチックレンズ３８，４０の変形を防止することができる。
また、ガラスレンズ３６は、その取付時に、緩衝材４２を十分に弾性変形させた状態で鏡筒３４の嵌合部に取り付けることで、熱膨張差によってもガラスレンズ３６と鏡筒３４との隙間が生じなくなり、ガラスレンズ３６がプラスチックレンズ３８，４０に対して偏心することもない。
【００２７】
したがって、フォーカス性能の低下もない。
次に、本発明の他の実施例について説明する。
本実施例では、図５に示すように、鏡筒３４内に装着されるプラスチックレンズ３８ａの外周に、周方向に三箇所以上の突起４４（本実施例では、５つ）が形成してある。三箇所以上の突起４４としたのは、レンズ３８ａを鏡筒３４内に安定して取り付けるためである。なお、突起４４の数が余りに多い場合には、突起による本実施例の効果が少なくなるので、突起４４の数の上限は、１０〜２０程度である。突起４４の数は、好ましくは、４〜１０である。
【００２８】
突起４４の高さは、レンズ３８ａの外径などに応じて決定され、少なくとも突起４４の先端が、鏡筒３４の嵌合部内部に接するように設計される。突起４４の高さは、具体的には、レンズの外径に対して、０．１〜１％の範囲が好ましい。本実施例のレンズ組立体６ａでは、レンズ３８ａの外周に突起４４を形成すれば、鏡筒３４が金属である場合に、動作時の熱膨張差により、鏡筒３４がプラスチックレンズ３８ａの外周を圧するが、その力は、突起部分に集中することから、プラスチックレンズ３８ａのレンズ本体部分が変形することはない。
【００２９】
また、突起４４が外周に形成されたプラスチックレンズ３８ａよりも熱膨張率が大きい材質で構成された鏡筒３４の場合には、その取付時に、突起４４を強制的に変形させながら、鏡筒３４の嵌合部に取り付けることで、動作時の熱膨張差により嵌合部に隙間が生じることはない。その結果、そのプラスチックレンズ３８ａが偏心状態になることもない。
【００３０】
したがって、フォーカス性能の低下もない。
なお、突起４４が変形したとしても、レンズ本体部がほとんど変形しないので、レンズとしての機能には問題がない。
なお、本発明は、上述した実施例に限定されるものではなく、本発明の範囲内で種々に改変することができる。
【００３１】
たとえば、レンズ組立体が前面に配置される投射用光源としては、ＣＲＴに限らず、バックライト付液晶パネルを用いることができる。ただし、本発明の構成を採用したレンズ組立体は、特に熱が問題となる投射用ＣＲＴの場合に用いた場合に、作用効果が特に大きい。
【００３２】
また、本発明に係るレンズ組立体は、背面投射型プロジェクションテレビに限らず、前面投射型のプロジェクションテレビにも適用することができる。
また、上記実施例では、鏡筒３４を金属としたが、プラスチック、あるいはその他の材質で構成することもできる。その場合にも、上記実施例と同様な作用を有する。
【００３３】
さらに、本発明に係るレンズ組立体の鏡筒３４の内部には、緩衝材を介して取り付けたガラスレンズなどのレンズと、外周に突起を形成したプラスチックレンズなどのレンズとを組み合わせて用いることもできる。
【００３４】
【発明の効果】
以上説明してきたように、第１の観点に係る本発明によれば、プロジェクションテレビの動作時に、仮にレンズ組立体が高温になったとしても、各構成部品（鏡筒とレンズ）の熱膨張差による嵌合部分の隙間あるいはレンズに作用する応力を、緩衝材で吸収することができる。したがって、熱膨張によるプラスチックレンズの変形を防止することができる。また、熱膨張差によってもガラスレンズと鏡筒との隙間が生じなくなり、レンズが偏心することもない。
【００３５】
したがって、フォーカス性能の低下もない。
第２の観点に係る本発明によれば、鏡筒がプラスチックレンズの外周を圧するが、その力は、突起部分に集中することから、プラスチックレンズのレンズ本体部分が変形することはない。
【００３６】
また、突起が外周に形成されたレンズよりも熱膨張率が大きい材質で構成された鏡筒の場合には、その取付時に、突起を強制的に変形させながら、鏡筒の嵌合部に取り付けることで、動作時の熱膨張差により嵌合部に隙間が生じることはない。その結果、そのレンズが偏心状態になることもない。
【００３７】
したがって、フォーカス性能の低下もない。
【図面の簡単な説明】
【図１】図１は本発明の一実施例に係るプロジェクションテレビの投射レンズ組み立て体の要部断面図である。
【図２】図２（Ａ）は図１に示すＩＩＡ−ＩＩＡ線に沿う断面図、図２（Ｂ）はレンズと鏡筒との嵌合部の要部断面図である。
【図３】図３（Ａ）はプロジェクションテレビの全体の正面側概略断面図、図３（Ｂ）はプロジェクションテレビ全体の側面側概略断面図である。
【図４】図４は図３に示すスクリーンの分解斜視図である。
【図５】図５は本発明の他の実施例に係るプロジェクションテレビの投射レンズ組立体の要部断面図である。
【符号の説明】
２…  プロジェクションテレビ
４…  ＣＲＴ
６，６ａ…  レンズ組立体
３４…  鏡筒
３６…  ガラスレンズ
３８，，３８ａ，４０…  プラスチックレンズ
４２…  緩衝材
４３…  凹部（嵌合部）
４４…  突起
【図１】
0003627252.tif 000002
【図２】
0003627252.tif 000003
【図３】
0003627252.tif 000004
【図４】
0003627252.tif 000005
【図５】
0003627252.tif 000006